(57)【要約】【課題】框体の内周面に対して単独でも固定可能であって、かつガラス体との接地面も大きくすることのできるセッティングブロック及びそれを用いたサッシを提供する。【解決手段】方形状に框組みされた框体３の内周面と框体内に納められるガラス体４の外周面との間に設けられ、框体３の内周面に固定される固定部３３と、ガラス体４の外周面と対向または当接する平面部３２ａを有した接地部３７とを一体的に形成してなり、固定部３３は框体３の内周面に対して弾性的に装着できる弾性部３４を有してなる。【選択図】図３
2008111297.tif 000002
【特許請求の範囲】
【請求項１】
方形状に框組みされた框体の内周面と前記框体内に納められるガラス体の外周面との間に設けられるセッティングブロックにおいて、
前記框体の内周面に固定される固定部と、前記ガラス体の外周面と対向または当接する平面部を有した接地部とを一体的に形成してなり、前記固定部は前記框体の内周面に対して弾性的に装着できる弾性部を有してなることを特徴とするセッティングブロック。
【請求項２】
前記固定部の弾性部はブロック状の基部からヒレ状に延出されてなることを特徴とする請求項１記載のセッティングブロック。
【請求項３】
前記固定部の弾性部は軟質樹脂により形成されてなることを特徴とする請求項１記載のセッティングブロック。
【請求項４】
前記固定部は前記框体の内周面に形成される凹部に対し収納自在な形状に形成され、前記弾性部は凹部の一方の側面に対向する前記固定部の一側面に形成され、該一側面と対向する前記固定部の側面には前記凹部の他方の側面に当接する突部が形成されてなることを特徴とする請求項１〜３のいずれか１項に記載のセッティングブロック。
【請求項５】
前記固定部の側面には前記突部から前記框体の内周面側に向かって下り傾斜状の第１傾斜部が形成されてなることを特徴とする請求項４記載のセッティングブロック。
【請求項６】
前記接地部は前記平面部を有するように前記固定部から延出状に形成されてなることを特徴とする請求項１〜５のいずれか１項に記載のセッティングブロック。
【請求項７】
前記接地部は先端面に前記平面部から前記框体の内周面側に向かって下り傾斜状の第２傾斜部が形成されてなることを特徴とする請求項６記載のセッティングブロック。
【請求項８】
方形状に枠組みされた枠体内に、方形状に框組みされた框体の内部にガラス体を納めてなる障子を納めたサッシにおいて、
前記障子は前記框体の内周面と前記ガラス体の外周面との間に請求項１〜７のいずれか１項に記載のセッティングブロックを設けてなることを特徴とするサッシ。
【発明の詳細な説明】
【技術分野】
【０００１】
本発明は、障子において框体の内周面とその内部に納められるガラス体の外周面との間に設けられるセッティングブロック及びそれを用いたサッシに関し、特に接着剤を用いることなく框体に取付可能なセッティングブロック及びそれを用いたサッシに関する。
【背景技術】
【０００２】
建物開口部に取付けられるサッシは、方形状の枠組みされた枠体内に障子を納めてなるものであり、障子は方形状に框組みされた框体内にガラス体を納めて構成される。ここで、ガラス体を框体に取付ける際には、その外周面を保護するためにセッティングブロックが設けられる。セッティングブロックは、ゴム等によってピース状の部品として形成され、框体の内周面とガラス体の外周面との間に設けられる。このようなセッティングブロック及びそれを用いたサッシとしては、例えば特許文献１に挙げるようなものがある。
【特許文献１】特開２００３−４８２４３号公報
【発明の開示】
【発明が解決しようとする課題】
【０００３】
従来のセッティングブロックは、単純なブロック形状に形成され、框体の内周面に対しては接着剤による接着で固定されていた。しかし、接着剤による固定では、ガラス体の振動等により次第にその接着力が弱くなり、縦框においてはセッティングブロックがやがて脱落することもあった。また、押縁構造でガラス体を框体内に保持する構成の場合、押縁を室内側から取付けるために、それと干渉しないようにセッティングブロックのガラス体との接地面を室内外方向にあまり大きくできなかった。このため、ガラス体のがたつきが大きく、それに伴って障子全体に歪みが生じて、障子の開閉に影響を与えることもあった。
【０００４】
本発明は、上記課題を解決すべくなされたものであり、框体の内周面に対して単独でも固定可能であって、かつガラス体との接地面も大きくすることのできるセッティングブロック及びそれを用いたサッシを提供することを目的とする。
【課題を解決するための手段】
【０００５】
上記課題を解決するため、本発明に係るセッティングブロックは、方形状に框組みされた框体の内周面と前記框体内に納められるガラス体の外周面との間に設けられるセッティングブロックにおいて、
前記框体の内周面に固定される固定部と、前記ガラス体の外周面と対向または当接する平面部を有した接地部とを一体的に形成してなり、前記固定部は前記框体の内周面に対して弾性的に装着できる弾性部を有してなることを特徴として構成されている。
【０００６】
また、本発明に係るセッティングブロックは、前記固定部の弾性部はブロック状の基部からヒレ状に延出されてなることを特徴として構成されている。
【０００７】
さらに、本発明に係るセッティングブロックは、前記固定部の弾性部は軟質樹脂により形成されてなることを特徴として構成されている。
【０００８】
さらにまた、本発明に係るセッティングブロックは、前記固定部は前記框体の内周面に形成される凹部に対し収納自在な形状に形成され、前記弾性部は凹部の一方の側面に対向する前記固定部の一側面に形成され、該一側面と対向する前記固定部の側面には前記凹部の他方の側面に当接する突部が形成されてなることを特徴として構成されている。
【０００９】
そして、本発明に係るセッティングブロックは、前記固定部の側面には前記突部から前記框体の内周面側に向かって下り傾斜状の第１傾斜部が形成されてなることを特徴として構成されている。
【００１０】
また、本発明に係るセッティングブロックは、前記接地部は前記平面部を有するように前記固定部から延出状に形成されてなることを特徴として構成されている。
【００１１】
さらに、本発明に係るセッティングブロックは、前記接地部は先端面に前記平面部から前記框体の内周面側に向かって下り傾斜状の第２傾斜部が形成されてなることを特徴として構成されている。
【００１２】
さらにまた、本発明に係るサッシは、方形状に枠組みされた枠体内に、方形状に框組みされた框体の内部にガラス体を納めてなる障子を納めたサッシにおいて、
前記障子は前記框体の内周面と前記ガラス体の外周面との間に前記いずれかのセッティングブロックを設けてなることを特徴として構成されている。
【発明の効果】
【００１３】
本発明に係るセッティングブロックによれば、框体の内周面に固定される固定部と、ガラス体の外周面と対向または当接する平面部を有した接地部とを一体的に形成してなり、固定部は框体の内周面に対して弾性的に装着できる弾性部を有してなることにより、框体の内周面に対して単独で固定することができるので、接着剤の劣化に伴い脱落等することを防止することができる。
【００１４】
また、本発明に係るセッティングブロックによれば、固定部の弾性部はブロック状の基部からヒレ状に延出、または軟質樹脂により形成されてなることにより、弾性部によって框体の内周面に確実な固定をなすことができる。
【００１５】
さらにまた、本発明に係るセッティングブロックによれば、固定部は框体の内周面に形成される凹部に対し収納自在な形状に形成され、弾性部は凹部の一方の側面に対向する固定部の一側面に形成され、この一側面と対向する固定部の側面には凹部の他方の側面に当接する突部が形成されてなることにより、突部を框体に当接させた状態で回転させることにより、容易に固定部を凹部に納めることができ、取付作業を容易にすることができる。
【００１６】
そして、本発明に係るセッティングブロックによれば、接地部は平面部を有するように固定部から延出状に形成されてなることにより、ガラス体の外周面と対向または当接する面積を大きくすることができるので、ガラス体を安定的に支持することができる。
【００１７】
また、本発明に係るセッティングブロックによれば、接地部は先端面に平面部から框体の内周面側に向かって下り傾斜状の第２傾斜部が形成されてなることにより、接地部を大きく形成しても、押縁部材の挿入に支障を生じることがないようにすることができる。
【発明を実施するための最良の形態】
【００１８】
本発明のサッシの実施形態について図面に沿って詳細に説明する。図１には本実施形態におけるサッシの縦断面図を、図２にはその横断面図を、それぞれ示している。これら各図に示すように、本実施形態におけるサッシは、建物開口部に取付けられる方形状の枠体１内に障子２が開閉自在に納められてなるものである。障子２は方形状に框組みされてなる框体３の内部にガラス体４を納めて構成される。本実施形態のサッシは、障子２の左右一方側が枠体１と連結され、他方側が下枠１１に設けられる開閉装置５の操作に伴いせり出すように開放される縦辷り出し窓として構成されている。
【００１９】
枠体１は、上枠１０と下枠１１及び左右の縦枠１２、１２を方形状に枠組みしてなるものである。上枠１０は金属上枠１０ａとその室内側に取付けられる樹脂上枠１０ｂとからなり、下枠１１は金属下枠１１ａとその室内側に取付けられる樹脂下枠１１ｂとからなり、縦枠１２は金属縦枠１２ａとその室内側に取付けられる樹脂縦枠１２ｂとからなっている。金属上枠１０ａと金属下枠１１ａ及び金属縦枠１２ａは、いずれもアルミの押出型材によって形成される。樹脂上枠１０ｂと樹脂下枠１１ｂ及び樹脂縦枠１２ｂは、いずれも合成樹脂によって形成され、また室内側端部には四周に渡って室内側に向かって延出されるアングル部１３が一体的に形成されている。
【００２０】
框体３は、上框２０と下框２１及び左右の縦框２２、２２を方形状に框組みしてなるものである。框体３の室外面には、内周側端部から見付方向内側に向かって延出される延出部２３が四周に渡って形成されており、気密材２４を介してガラス体４の室外面を保持する。一方、框体３の室内側には合成樹脂製の押縁部材２５が四周に渡って取付けられ、気密材２６を介してガラス体４の室内面を保持する。
【００２１】
上框２０は金属上框２０ａとその室内側に取付けられる樹脂上框２０ｂとからなり、縦框２２は金属縦框２２ａとその室内側に取付けられる樹脂縦框２２ｂとからなっている。上框２０と縦框２２において押縁部材２５は、室外側に向かって延出される室外延出部２５ａを有しており、これが上框２０と縦框２２の内周面に設けられる断面略Ｌ字状の係合部２７に対して係合し、押縁部材２５が固定される。下框２１においては、押縁部材２５が樹脂框を兼ねており、下框２１の室内面に対して係合固定される。
【００２２】
上框２０の内周面には、ガラス体４の外周面との間に上セッティングブロック３０が設けられる。また、下框２１の内周面には、ガラス体４の外周面との間に下セッティングブロック３１が設けられる。さらに、縦框２２の内周面には、ガラス体４の外周面との間に縦セッティングブロック３２が設けられる。これらセッティングブロックは、いずれも硬質ゴムによって形成され、ガラス体４の外周面を框体３から保護するために設けられる。また、これらのセッティングブロックは、いずれもピース状に形成されており、各框材の長手方向に複数設けられる。
【００２３】
上セッティングブロック３０は、上框２０の内周面側形状に合わせて断面形状が略Ｌ字状となるピース状に形成されて、上框２０の内周面に対して接着固定される。また、上セッティングブロック３０は、上框２０の係合部２７に対して固定される押縁部材２５の取付けに対して干渉しないように、押縁部材２５よりも室外側に設けられ、ガラス体４の外周面のうち室外側の略半分の領域と平面部３０ａが若干の隙間を有して対向する。
【００２４】
下セッティングブロック３１は、下框２１の内周面に押縁部材２５を固定するための係合部２７が形成されていないので、下框２１の内周面の室内側から室外側に渡る断面略方形状に形成される。このため、下セッティングブロック３１の平面部３１ａは、ガラス体４の室内外全長に渡って外周面が載置できるように形成される。また、上セッティングブロック３０と同様、ピース状に形成されて下框２１の内周面に対して接着固定される。
【００２５】
次に、縦セッティングブロック３２について詳細に説明する。図３には、障子２の縦框２２付近の拡大断面図を示している。この図に示すように、縦框２２の内周面とガラス体４の外周面との間に設けられる縦セッティングブロック３２は、上セッティングブロック３０や下セッティングブロック３１よりも複雑な断面形状を有している。
【００２６】
縦セッティングブロック３２は、縦框２２の内周面に対して固定することのできる固定部３３と、ガラス体４の外周面に近接対向する平面部３２ａを有した接地部３７とが、一体的に形成されてなるものである。縦框２２の内周面室外端部は、係合部２７と延出部２３を側面とする凹部２２ｃが形成されている。縦セッティングブロック３２の固定部３３は、凹部２２ｃに収納できる形状に形成されている。また、固定部３３の室内側面には、この凹部２２ｃの一側面を構成する係合部２７に対して弾性的に係止することのできる弾性部３４がヒレ形状に形成されている。この弾性部３４によって、縦セッティングブロック３２は縦框２２に対して係合状に固定することができる。これによって、縦セッティングブロック３２を縦框２２に対して弾性的に固定しておくことができるので、接着剤の劣化に伴い縦セッティングブロック３２が脱落等することを防止することができる。なお、縦セッティングブロック３２の固定を確実にするために、固定部３３の底面に接着剤を設けて、弾性的な係止と接着の両方によって縦セッティングブロック３２を固定することもできる。
【００２７】
また、本実施形態では弾性部３４をヒレ形状に形成しているが、この部分を他の部分と同様のブロック状に形成すると共に、材質を軟質樹脂とすることによっても、同様に縦框２２の凹部２２ｃに対して弾性的に固定することができる。この場合には、軟質樹脂からなる弾性部３４を共押出により硬質樹脂と一体的に成形することができる。
【００２８】
固定部３３の弾性部３４が形成された室内面とは対向する室外面には、突部３５が形成されており、これが縦框２２の延出部２３室内面に当接している。また、突部３５が形成される室外面は、突部３５から凹部２２ｃの底面側に向かって下方傾斜状の第１傾斜部３６として形成されている。
【００２９】
接地部３７は、固定部３３から室内側に向かって延出するように形成されており、ガラス体４の外周面側は平面状に形成されて平面部３２ａを構成している。平面部３２ａとガラス体４の外周面との間は、僅かな隙間を有するようにしている。ただし、これらが当接するように配置してもよい。また、接地部３７の室内面は、ガラス体４の外周面側から縦框２２の内周面側に向かって下方傾斜状の第２傾斜部３８として形成されている。
【００３０】
次に、縦セッティングブロック３２の取付け及び押縁部材２５の取付けについて説明する。図４には、縦框２２の内周面に縦セッティングブロック３２を取付ける過程を表した拡大断面図を示している。図４（ａ）に示すように、縦框２２に対して縦セッティングブロック３２を取付けるには、まず縦セッティングブロック３２を縦框２２の凹部２２ｃに対して斜めに配置すると共に、突部３５を縦框２２の延出部２３に当接させる。
【００３１】
続いて図４（ｂ）に示すように、縦セッティングブロック３２を突部３５を中心に回転させ、固定部３３を縦框２２の凹部２２ｃに挿入する。縦框２２の延出部２３には、段部２２ｄが形成されており、縦セッティングブロック３２の突部３５はこの段部２２ｄに当接して円滑に回転をなすことができるようにされている。
【００３２】
縦セッティングブロック３２を突部３５を中心に回転させることで、図４（ｃ）に示すように固定部３３を凹部２２ｃ内に納め、固定部３３の弾性部３４が凹部２２ｃに弾性的に固定されることで、縦セッティングブロック３２を縦框２２に対して固定することができる。ここで、縦セッティングブロック３２の突部３５が形成される室外面には、第１傾斜部３６が形成されていることにより、縦セッティングブロック３２が縦框２２と干渉することなく、これを取付けることができる。
【００３３】
図５には、縦セッティングブロック３２が取付けられた縦框２２に対して押縁部材２５を取付ける過程を表した拡大断面図を示している。図５（ａ）に示すように、押縁部材２５を取付けるには、押縁部材２５の室外延出部２５ａの先端部を縦セッティングブロック３２の接地部３７に形成された第２傾斜部３８に当接させ、そのまま第２傾斜部３８上を室外側に向かって摺動させる。
【００３４】
図５（ｂ）に示すように、押縁部材２５の室外延出部２５ａの先端部が縦セッティングブロック３２の第２傾斜部３８の端部まで摺動させたら、図５（ｃ）に示すように押縁部材２５をさらに室外側に向かって移動させ、室外延出部２５ａの先端部を縦框２２の係合部２７に係合させる。これによって図５（ｄ）に示すように押縁部材２５を縦框２２に固定し、ガラス体４を室内側から押圧した状態とすることができる。
【００３５】
このように、縦セッティングブロック３２は固定部３３から室内側に向かって延出された接地部３７の室内面に第２傾斜部３８を形成していることにより、平面部３２ａを室内外方向に大きく形成してガラス体４との接地面積を大きくしても、押縁部材２５を縦セッティングブロック３２と干渉することなく取付けることができる。
【００３６】
以上、本発明の実施形態について説明したが、本発明の適用は本実施形態に限られるものではなく、その技術的思想の範囲内において様々に適用されうるものである。本実施形態は縦辷り出し窓に本発明を適用したものを示したが、これに限らず框体内にガラス体を納めるものであればどのようなタイプの窓でもよく、例えば引き違いサッシや開き窓等においても本発明を適用することができる。また、本実施形態では縦框２２に固定部３３と接地部３７を有した縦セッティングブロック３２を固定することとしたが、上セッティングブロック３０や下セッティングブロック３１について同様の形状とすることもできる。
【図面の簡単な説明】
【００３７】
【図１】本実施形態におけるサッシの縦断面図である。
【図２】本実施形態におけるサッシの横断面図である。
【図３】縦框付近の拡大横断面図である。
【図４】縦框の内周面に縦セッティングブロックを取付ける過程を表した拡大横断面図である。
【図５】縦框に押縁部材を取付ける過程を表した拡大横断面図である。
【符号の説明】
【００３８】
１    枠体
２    障子
３    框体
４    ガラス体
５    開閉装置
２０    上框
２１    下框
２２    縦框
２２ａ  凹部
２２ｂ  段部
２３    延出部
２５    押縁部材
２７    係合部
３０    上セッティングブロック
３１    下セッティングブロック
３２    縦セッティングブロック
３２ａ  平面部
３３    固定部
３４    弾性部
３５    突部
３６    第１傾斜部
３７    接地部
３８    第２傾斜部
【図１】
2008111297.tif 000003
【図２】
2008111297.tif 000004
【図３】
2008111297.tif 000005
【図４】
2008111297.tif 000006
【図５】
2008111297.tif 000007